(57)【要約】【課題】ガラス窓の曇りを防止する。【解決手段】固体燃料燃焼室を形成する周囲壁４ａに、外部から燃焼用空気を取り入れ、その取入空気量の調節を可能にする空気量調節蓋２３付きの空気取入用壁開口又はその開口壁に更に固着した空気取入管２０と、その燃焼状態を観察する内部観察用ガラス窓１３とを設ける。そして、その燃焼室の内部に、空気取入用壁開口又は空気取入管２０を通じて取り入れた空気をガラス窓１３の内面近傍まで導き放出する曇り防止用空気放出管２８を設置する。【選択図】図１
2009047346.tif 000002
【特許請求の範囲】
【請求項１】
固体燃料燃焼室を形成する周囲壁に、外部から燃焼用空気を取り入れ、その取入空気量の調節を可能にする空気量調節蓋付きの空気取入用壁開口又はその開口壁に更に固着した空気取入管と、その燃焼状態を観察する内部観察用ガラス窓とを設けた固体燃料ストーブであって、上記燃焼室の内部に、空気取入用壁開口又は空気取入管を通じて取り入れた空気をガラス窓の内面近傍まで導き放出する曇り防止用空気放出管を設置することを特徴とするガラス窓の曇り防止用空気放出管付き固体燃料ストーブ。
【請求項２】
前面壁にガラス窓を設け、左右各側面壁の前側下隅部付近に空気取入用壁開口を夫々設け、又はその開口壁に更に固着した空気取入管を夫々設けると共に、上面壁の最後部付近又は後面壁の最上部付近に煙突用壁開口を設け、その両空気取入用壁開口又は両空気取入管の内端開口間に、多数の空気放出口を分散配置して設けた曇り防止用空気放出管を介在させて設置し、その両空気取入用壁開口又は両空気取入管の内端開口と曇り防止用空気放出管の両端開口との対応する開口同士を接近させて夫々配置することを特徴とする請求項１記載のガラス窓の曇り防止用空気放出管付き固体燃料ストーブ。
【請求項３】
両空気取入用壁開口又は両空気取入管の内端開口の各下縁部より曇り防止用空気放出管の対応する端部を受けて支える管端受部を夫々突設し、その各空気取入用壁開口又は各空気取入管の内端部の内径より曇り防止用空気放出管の対応する端部の外径を夫々小さくし、その各壁開口又は管内端開口より取り入れた空気の一部を、曇り防止用空気放出管を経ずに直接燃焼室内に放出することを特徴とする請求項２記載のガラス窓の曇り防止用空気放出管付き固体燃料ストーブ。
【発明の詳細な説明】
【技術分野】
【０００１】
本発明は、薪等の固体燃料を用い、その燃焼状態を観察できるガラス窓付きのストーブに関する。
【背景技術】
【０００２】
従来から、灯油を燃料とするポット式ストーブでは燃焼室を形成する周囲壁にガラスを用い、燃焼炎による熱放射のエネルギーをガラスを通して外部に伝搬している。そして、そのガラスには燃料の不完全燃焼により特に点火時、消火時等に汚れ物質たる煤が付着し易く、燃焼量が小さいとその煤が、酸化、除去され難い。すると、煤がガラスに付着したままになり、内部の燃焼状態を観察できず、美観上も好ましくない。そこで、発生した煤を帯電させることにより、煤がガラスに付着するのを防止している。
【特許文献１】特開２０００−２０５５６８
【発明の開示】
【発明が解決しようとする課題】
【０００３】
しかしながら、このようなストーブでは煤を帯電させるための直流高電圧印加用回路とその電源とを必要とする。この点、薪、段ボール箱、草や木の皮等の種々雑多な固体燃料を燃焼させる固体燃料ストーブでは格別電源等を必要としない。しかし、外部からストーブ内部の燃焼状態を観察できるようにすると共に、燃焼炎を見ることによる癒し効果を得られるようにするには、ガラス窓を設ける必要がある。すると、そのガラスにはやはり煤が付着して曇り、内部が見えなくなるので、その煤を取り除かなければならない。
【０００４】
本発明は、このような従来の問題点に着目してなされたものであり、ガラス窓の曇りを防止できるガラス窓の曇り防止用空気放出管付き固体燃料ストーブを提供することを目的とする。
【課題を解決するための手段】
【０００５】
上記目的を達成するために、本発明によるガラス窓の曇り防止用空気放出管付き固体燃料ストーブは、固体燃料燃焼室を形成する周囲壁に、外部から燃焼用空気を取り入れ、その取入空気量の調節を可能にする空気量調節蓋付きの空気取入用壁開口又はその開口壁に更に固着した空気取入管と、その燃焼状態を観察する内部観察用ガラス窓とを設ける。そして、上記燃焼室の内部に、空気取入用壁開口又は空気取入管を通じて取り入れた空気をガラス窓の内面近傍まで導き放出する曇り防止用空気放出管を設置する。
【０００６】
又、上記前面壁にガラス窓を設け、左右各側面壁の前側下隅部付近に空気取入用壁開口を夫々設け、又はその開口壁に更に固着した空気取入管を夫々設けると共に、上面壁の最後部付近又は後面壁の最上部付近に煙突用壁開口を設け、その両空気取入用壁開口又は両空気取入管の内端開口間に、多数の空気放出口を分散配置して設けた曇り防止用空気放出管を介在させて設置し、その両空気取入用壁開口又は両空気取入管の内端開口と曇り防止用空気放出管の両端開口との対応する開口同士を接近させて夫々配置すると好ましくなる。
【０００７】
又、上記両空気取入用壁開口又は両空気取入管の内端開口の各下縁部より曇り防止用空気放出管の対応する端部を受けて支える管端受部を夫々突設し、その各空気取入用壁開口又は各空気取入管の内端部の内径より曇り防止用空気放出管の対応する端部の外径を夫々小さくし、その各壁開口又は管内端開口より取り入れた空気の一部を、曇り防止用空気放出管を経ずに直接燃焼室内に放出するとよい。
【発明の効果】
【０００８】
本発明のガラス窓の曇り防止用空気放出管付き固体燃料ストーブは、固体燃料燃焼室を形成する周囲壁に、空気量調節蓋付きの空気取入用壁開口又はその開口壁に更に固着した空気取入管を設け、その燃焼室の内部に、空気取入用壁開口又は空気取入管を通じて取り入れた空気をガラス窓の内面近傍まで導き放出する曇り防止用空気放出管を設置することにより、固体燃料の燃焼に必要な空気量を空気取入用壁開口又は空気取入管の外端開口に設けた空気量調節蓋を操作することによって取り入れ、自在に調節できる。それ故、燃焼状態の制御を簡単に行える。しかも、燃焼室の内部に曇り防止用空気放出管を設置して、空気取入用壁開口又は空気取入管を通じ取り入れた空気をガラス窓の内面近傍まで導き放出すると、外部から取り入れた空気を放出管から放出してガラス窓の内面に当てることにより、燃焼によって発生した煤を含むガスがガラス窓と接触し難くなる。それ故、ガラス窓に煤が付着するのを防止でき、ガラス窓が曇らなくなる。
【０００９】
又、上記前面壁にガラス窓を設け、左右各側面壁の前側下隅部付近に空気取入用壁開口を夫々設け、又はその各開口壁に更に固着した空気取入管を夫々設けると共に、その両空気取入用壁開口又は両空気取入管の内端開口間に、多数の空気放出口を分散配置して設けた曇り防止用空気放出管を介在させて設置し、その両空気取入用壁開口又は両空気取入管の内端開口と曇り防止用空気放出管の両端開口との対応する開口同士を接近させて夫々配置することにより、ガラス窓の下縁部に沿って、その下縁部の近傍に曇り防止用空気放出管を配置し、その空気放出管内に両空気取入用壁開口又は両空気取入管の内端開口から空気を導き、各放出口より空気を夫々放出できる。そして、上面壁の最後部付近又は後面壁の最上部付近に煙突用壁開口を設けることにより、ストーブの内部に前面壁近傍の最下部から後面壁近傍の最上部に向う空気の流れを形成できる。すると、ガラス窓の内面下縁部から上縁部に向って内面全域に沿う空気の流れを形成できる。それ故、ガラス窓の全内面に煤が付着するのを防止できて、ガラス窓が煤により曇らなくなる。
【００１０】
又、上記両空気取入用壁開口又は両空気取入管の内端開口の各下縁部より曇り防止用空気放出管の対応する端部を受けて支える管端受部を夫々突設することにより、空気放出管を装着脱自在に設置でき、装着時等にはガラス窓に対する空気放出口の位置を選択して空気の放出方向を変えることができる。又、脱着して、空気放出管の掃除を簡単に行える。そして、各空気取入用壁開口又は各空気取入管の内端部の内径より曇り防止用空気放出管の対応する端部の外径を夫々小さくし、その各壁開口又は空気取入管より取り入れた空気の一部を、曇り防止用空気放出管を経ずに直接燃焼室内に放出することにより、燃焼室内に多量の空気を供給し易く、燃焼量を大きくできる。それ故、燃焼量の調節を幅広く行えて好都合となる。
【発明を実施するための最良の形態】
【００１１】
以下、添付の図１〜５を参照して、本発明の実施の最良形態を説明する。
図１は本発明を適用した料理用ストーブの両ドア及び両蓋閉鎖状態を示す正面図、図２はその背面図、図３はその平面図、及び図４はその右側面図である。この料理用ストーブ１は上側にストーブ部２、下側にストーブ部２により発生した熱を利用するオーブン部３を配置して、左右をほぼ対称にした２段構造にし、そのほぼ全体を例えば鉄材を用いて製作する。そして、料理用ストーブ１の前面壁４、後面壁５、左側面壁６、右側面壁７を、いずれもストーブ部２の前面壁４ａとオーブン部３の前面壁４ｂ、ストーブ部２の後面壁５ａとオーブン部３の後面壁５ｂ、ストーブ部２の左側面壁６ａとオーブン部３の左側面壁６ｂ、ストーブ部２の右側面壁７ａとオーブン部３の右側面壁７ｂ等を夫々一体に連ねて形成する。又、料理用ストーブ１の上面壁８はストーブ部２の上面壁を兼ね、仕切壁９はストーブ部２の底面壁とオーブン部３の天井壁を兼ね、底面壁１０はオーブン部３の底面壁を兼ねる。
【００１２】
すると、ストーブ部２の前後面壁４ａ、５ａ、左右側面壁６ａ、７ａ、上底面壁８、９等の周囲壁の内部空間が、固体燃料例えば薪を燃焼させるための燃焼室１１になる（図５参照）。又、オーブン部３の前後面壁４ｂ、５ｂ、左右側面壁６ｂ、７ｂ、仕切壁、底面壁９、１０等の周囲壁の内部空間が、パン等を焼くための加熱室１２になる。
【００１３】
そこで、ストーブ部２には前面壁４ａの中央部に広い長方形状の開口を設け、そこに広い耐熱性ガラス窓１３付きのドア１４を取り付ける。その際、ドア１４の右辺部を２個の蝶番１５（１５ａ、１５ｂ）を用いて前面壁４ａの右辺部に取り付ける。すると、ガラス窓１３付きのドア１４が横開きにより開閉自在となるので、開放時に薪等を開口を通じて燃焼室１１に入れ、発生した灰を取り出すことができる。又、ドア１４の左辺部に止め部１６を有するドア止め用回動ハンドル１７を取り付け、前面壁４ａの左辺部にドア１４の閉鎖時にその止め部１６を受ける受け具１８を取り付ける。そして、前面壁４ａの下辺部に前方に向って突出し、左右に延びる灰受け皿１９を設ける。すると、その灰受け皿１９によりドア１４を開けた時、開口から燃焼中の薪の一部や灰等が時として外に出ても、それ等を受けて床に落下しないようにできる。
【００１４】
又、左右各側面壁６ａ、７ａの前側下隅部付近に空気取入用壁開口を夫々設け、その各壁開口に空気取入管２０(２０ａ、２０ｂ)を夫々挿通させて開口壁に固着する。すると、両空気取入管２０を通じて空気を取り入れることができる。その際、各空気取入管２０の一部を側面壁６ａ、７ａより夫々少し外方に突出し、一部を夫々少し内方に突出させる。そして、図５に示すように各空気取入管２０の内部中央付近に雌ねじ穴を有する所定幅の蓋ねじ止め板２１(２１ａ、２１ｂ)を横に掛け渡して固着する。なお、各空気取入管２０の内部に蓋ねじ止め板２１を夫々設置しても、その各板２１の上下空間が夫々空気通路となる。
【００１５】
そこで、各空気取入管２０の外径より一段と大きな外径を有する円板状で、その各一主面の中央部に雄ねじ２２(２２ａ、２２ｂ)を突設したねじ２２付きの空気量調節蓋２３(２３ａ、２３ｂ)を夫々用いる。そして、各空気量調節蓋２３を持ち、雄ねじ２２を蓋ねじ止め板２１の雌ねじ穴に夫々ねじ込む。すると、ねじ込み量を変えて蓋２３を左右に移動することにより、各空気取入管２０に取り入れる空気量を調節できると共に、各短管２０の外部に臨む端開口２４(２４ａ、２４ｂ)を夫々閉鎖できる。
【００１６】
又、各空気取入管２０の内部に臨む端開口２５(２５ａ、２５ｂ)の各下縁部より短管２０の半径に等しい半円板状の管端受部２６(２６ａ、２６ｂ)を夫々内方に突設する。そして、その両空気取入管２０の内端開口２５の間に、多数例えば１５個の空気放出口２７を長さ方向に沿わせて等距離ずつ離し、一直線状に並べ、分散して設けた曇り防止用空気放出管２８を介在させて設置する。その際、曇り防止用空気放出管２８の両端部の外径を両空気取入管２０の内端部の内径より小さくし、その空気放出管２８の両端部を対応する管端受部２６に夫々乗せ、両空気取入管２０の端開口２５と空気放出管２８の両端開口２９(２９ａ、２９ｂ)との対応する管端開口２５、２９同士を例えば５ｍｍの距離まで接近させ、両開口の位置を合わせる等して夫々配置する。
【００１７】
このように両空気取入管２０の内端開口２５の各下縁部より、曇り防止用空気放出管２８の対応する端部を受けて下支えする管端受部２６を夫々突設しておくと、空気放出管２８を装着脱自在に設置できる。そして、装着時に空気放出管２８を回動させると、ガラス窓１３に対する空気放出口２７の位置を選択して、空気の放出方向を変えることができる。なお、通常はガラス窓１３の内面に対し、空気の放出方向をほぼ直角にする。又、脱着させて空気放出管８の掃除を簡単に行える。又、各空気取入管２０の内径より曇り防止用空気放出管２８の外径即ち空気放出管２８の対応する端部の外径を夫々小さくすると、各空気取入管２０より取り入れた空気の一部を、空気放出管２８を経ずに矢印３０（３０ａ、３０ｂ）で示すように直接燃焼室１１に放出できる。すると、燃焼室１１の内部に多量の空気を供給し易く、燃焼量を大きくできる。それ故、燃焼量の調節を幅広く行えて好都合となる。
【００１８】
又、上面壁８の最後部中央付近に煙突用壁開口を設け、その開口に煙突を支える煙突受け筒３１を嵌めて固着し突設する。そして、上面壁８から燃焼室１１内に燃焼促進板３２を仕切壁９に向けて垂下させ、燃焼室１１を広い１次燃焼室１１ａと煙突による吸い込み力の大きな空間域に当たる狭い２次燃焼室１１ｂとに区分する。その際、燃焼促進板３２として１次燃焼室１１ａと２次燃焼室１１ｂとを連通させる多数の貫通孔を分散配設した平板又は曲面板を用い、その燃焼促進板３２の下端縁と燃焼室１１の床面（仕切壁９の上面）との間に燃焼室１１の高さの１/３〜１／４の範囲の空隙を設ける（特許第３０６６０６６号参照）なお、後面壁５ａの最上部中央付近に煙突用壁開口を設けてもよい。
【００１９】
このようなストーブ部２に対し、オーブン部３には前面壁４ｂの中央部に広い半円形状の開口を設け、そこに例えば鉄製ドア３３を取り付ける。その際、ドア３３の下辺部を２個の蝶番３４（３４ａ、３４ｂ）を用いて、前面壁４ｂの下辺部に取り付ける。すると、ドア３３が縦開きにより開閉自在となるので、解放時にパンの生地等をその開口を通じて加熱室１２に入れ、焼き上がったら取り出すことができる。そこで、加熱室１２には加熱台３５等を備え付けておく。そして、底面壁１０の４隅部に所定の長さを有する角柱状の脚部３６（３６ａ、…３６ｄ）を夫々垂設すると、料理用ストーブ１が完成する。
【００２０】
このような料理用ストーブ１のストーブ部２に薪等を入れて燃焼させる際、各空気取入管２０に備え付けた空気量調節蓋２３を適宜回動して操作する。すると、取入空気量を自在に調節できるので、燃焼状態の制御を簡単に行える。そして、前面壁４ａにガラス窓１３付きドア１４を設け、左右各側面壁６ａ、７ａの前側下隅部付近に空気取入用壁開口を設け、その各開口壁に固着した空気取入管２０を夫々設けて、その両空気取入管２０の内端開口２５間に、多数の空気放出口２７を分散配置して設けた曇り防止用空気放出管２８を介在させて設置し、その両空気取入管２０の内端開口２５と空気放出管２８の両端開口２９との対応する開口２５、２９同士を接近させて夫々配置しておくと、ガラス窓１３の内面下縁部に沿って、その下縁部の近傍に曇り防止用空気放出管２８を配置できる。
【００２１】
このため、両方又は一方の空気量調節蓋２３を適宜開き、空気取入管２０を通じて外部から空気を取り入れると、その空気を曇り防止用空気放出管２８の内部に導き、各放出口２７よりガラス窓１３の内面下縁部に向けて放出できる。すると、空気がガラス窓１３の内面下縁部に当たる。そして、上面壁８の最後部中央付近又は後面壁５ａの最上部中央付近に煙突用壁開口を設け、その受け筒３１に煙突を立てておくことにより、ストーブ部２の内部に、特に燃焼の初期において前面壁４ａ近傍の最下部付近から燃焼促進板３２の各孔を経て、後面壁５ａ近傍の最上部付近に向う空気の流れを形成できる。すると、ガラス窓１３の内面下縁部から上縁部に向って内面全域に沿う空気の流れを形成し易くなり、不完全燃焼によって発生した煤を含むガスがガラス窓１３と接触し難くなる。それ故、ガラス窓１３の全内面に煤が付着するのを防止でき、ガラス窓１３が煤により曇らなくなる。なお、燃焼が定常状態になると、空気放出管２８が畜熱状態となり、取り入れた空気が暖められて放出され、一次燃焼室１１ａの燃焼気流は大部分が燃焼促進板３２の下方通路を通って二次燃焼室１１ｂにはいるので、燃焼気流は二次燃焼室１１ｂで完全燃焼して煙突に送り出される。
【００２２】
又、各空気取入管２０の内端部の内径より曇り防止用空気放出管２８の対応する端部の外径を夫々小さくすると、その各空気取入管２０より取り入れた空気の一部を、空気放出管２８を経ずに直接燃焼室１１内に放出できるため、燃焼室１１内に多量の空気を供給し易く、燃焼量を大きくできる。それ故、燃焼量の調節を幅広く行えて好都合となる。
【００２３】
上記実施の形態では左右各側面壁６ａ、７ａの壁開口に、空気量調節蓋付きの空気取入管２０を挿通し固着して夫々設置し、その両空気取入管２０の内部に蓋ねじ止め板２１を掛け渡して固着し、その両空気取入管２０の内端開口の各下縁部より曇り防止用空気放出管２８の管端受部２６を夫々突設する場合について説明したが、その空気取入管２０を用いず、各壁開口の内部に蓋ねじ止め板を夫々掛け渡し固着して、各壁開口を雄ねじ付きの空気量調節蓋付きにし、その両壁開口の各内側下縁部より曇り防止用空気放出管の管端受部を夫々突設することもできる。
【００２４】
なお、上記実施の形態では本発明を料理用ストーブに適用する場合について説明したが、当然オーブン部を設けず、ストーブ単独のものについても適用できる。
【図面の簡単な説明】
【００２５】
【図１】本発明を適用した料理用ストーブの両ドア及び両蓋閉鎖状態を示す正面図である。
【図２】同料理用ストーブの背面図である。
【図３】同料理用ストーブの平面図である。
【図４】同料理用ストーブの右側面図である。
【図５】同料理用ストーブの両蓋開放状態を示す要部の断面拡大図である。
【符号の説明】
【００２６】
１…料理用ストーブ  ２…ストーブ部  ３…オーブン部  ４、５…前後面壁  ６、７…左右側面壁  ８、１０…上底面壁    ９…仕切壁  １１…燃焼室  １２…加熱室  １３…ガラス窓  １４、３３…ドア  １５、３４…蝶番  １６…止め部  １７…ドア開閉用回動ハンドル  １８…受け具  １９…灰受け皿  ２０…空気取入管  ２１…蓋ねじ止め板  ２２…雄ねじ  ２３…空気量調節蓋  ２４、２５…管外内端開口  ２６…管端受部  ２７…空気放出口  ２８…曇り防止用空気放出管  ２９…管端開口  ３０…空気の流れ  ３１…煙突受け筒  ３２…燃焼促進板  ３５…加熱台  ３６…脚部
【図１】
2009047346.tif 000003
【図２】
2009047346.tif 000004
【図３】
2009047346.tif 000005
【図４】
2009047346.tif 000006
【図５】
2009047346.tif 000007